(57)【要約】【課題】  安全かつ確実にゴミのチェックおよび仕分けを行うことができ、ゴミの搬入効率の高いゴミ搬入装置および搬入方法を提供することである。【解決手段】  ゴミ処理設備のゴミ搬入装置において、ゴミ搬入車（１０）をその上に支持するプラットフォーム（２）と、前記ゴミ搬入車からゴミピット（１）にゴミを搬送するベルトコンベア（４）と、を備え、前記ベルトコンベアを、前記プラットフォームよりも低い位置で、かつ前記プラットフォームから前記ゴミピットにわたって設けた。【選択図】図１
2005154039.tif 000002
【特許請求の範囲】
【請求項１】
ゴミ処理設備のゴミ搬入装置において、
ゴミ収集車を支持するプラットホームと、
前記ゴミ収集車から排出されるゴミをゴミピットに搬送するベルトコンベアと、を備え、
前記ベルトコンベアを、前記プラットホームよりも低い位置で、かつ、前記プラットホームから前記ゴミピットにわたって設けたことを特徴とするゴミ搬入装置。
【請求項２】
ゴミ収集車を支持するゴミ処理設備内のプラットホームと、
前記ゴミ収集車から排出されるゴミをゴミピットに搬送するベルトコンベアと、を備えたゴミ搬入装置を用いたゴミ搬入方法において、
前記ゴミ収集車を、前記ゴミ収集車のゴミ排出口が前記ベルトコンベアに向くように前記プラットホーム上に停止させるステップと、
前記ベルトコンベアを運転させつつ、前記ゴミ収集車内のゴミを前記ベルトコンベア上に連続的に排出するステップと、
前記ベルトコンベア上のゴミ内容物のチェック及び仕分け作業のために、前記ベルトコンベア上のゴミが前記ゴミピットに落ちる前に、一旦ベルトコンベアを停止するステップと、
ゴミ内容物のチェック及び仕分け作業の完了後、前記ベルトコンベアの運転を再開し、前記ベルトコンベア上のゴミを前記ゴミピットに投入するステップと、
からなるゴミ搬入方法。
【発明の詳細な説明】
【技術分野】
【０００１】
本発明は、ゴミ処理設備のゴミ搬入装置およびゴミ搬入方法に関する。
【背景技術】
【０００２】
ゴミ収集車により回収されてきたゴミを、ゴミ清掃工場（ゴミ処理施設）のゴミピットに収集する方法として、例えば、図２に示すものがある。この方法は、ゴミ収集車１０をゴミピット１近傍まで移動させた後、ゴミ収集車１０の荷台に備え付けられたゴミ収容タンク１１をダンプ（傾動）させることによって、ゴミ収容タンク１１内のゴミをゴミピット１に直接投入するものである。
【０００３】
また、他の方法として、例えば、図３に示すものがある。この方法は、ゴミ収容タンク１１内のゴミを、直接ゴミピット１に投入するのではなく、一旦ダンピングボックス１３内に蓄えてから、ゴミピット１へと投入するものである。ダンビングボックス１３は、ゴミピット１とゴミ収集車１０との間にダンプ自在に設置される。このため、ダンピングボックス１３の基端側には、ダンピングボックス１３をダンプさせるための横軸１４及び油圧シリンダ等の駆動装置５が設けられる。
【０００４】
ゴミ収集車１０のゴミを一旦ダンピングボックス１３に蓄える理由は、ゴミピット１にゴミを投入する前に、ダンピングボックス１３において、不法投棄等の不正ゴミを取り除くといったゴミの仕分け作業を行うためである。
【０００５】
ゴミ収集車１０は、同図に示すように、後ろ向きでダンピングボックス１３に近付き、スロープ１６を乗り上げてダンピングボックス１３内に進出した後、除々にゴミを落下させながら前進する。
【０００６】
ダンピングボックス１３に投入されたゴミは、作業者によって危険物、不正ゴミ等が取り除かれた後、ダンピングボックス１３からゴミピット１へと投入される。
【特許文献１】特開平１０−１０１２０３号公報
【発明の開示】
【発明が解決しようとする課題】
【０００７】
ゴミ収集車１０によって回収されてきたゴミの中から、不正ゴミ等を取り除く必要がある場合には、図３に示すようにゴミ収集車１０とゴミピット１との間にダンピングボックス１３等のゴミの仕分け作業ができる領域を設ける必要がある。ところが、作業者にとって、ダンピングボックス１３内の作業は困難を伴うとともに、ダンピングボックス１３内は作業者にとって決して良い環境とは言えない。
【０００８】
また、ダンピングボックス１３はゴミピット１に向かってダンプするような構成となっているため、作業者がゴミピット１内に落下しないような対策が必要となる。
【０００９】
さらに、通常ダンピングボックス１３はサイズが大きく、重量も嵩むため、装置全体が大型化してしまう。
【００１０】
そしてさらに、ゴミ収容タンク１１内のゴミをダンピングボックス１３に排出する際に、ダンピングボックス１３内にゴミを万遍なく敷き詰めるために、一定量ずつゴミを排出させなければならない。そのために、ゴミ収集車１０をダンピングボックス１３内で除々に前進させながらゴミを排出させる必要があり、効率が悪いうえに手間がかかるという問題点もある。
【００１１】
そこで、本発明では、安全かつ確実で、しかも容易に不正ゴミ等のチェックおよび仕分け作業が行えるとともに、ゴミの搬送効率の高いゴミ搬入装置および搬入方法を提供することを目的とする。
【課題を解決するための手段】
【００１２】
上記目的を達成するために、本発明に係るゴミ搬入装置は、ゴミ処理設備のゴミ搬入装置において、ゴミ収集車を支持するプラットホームと、前記ゴミ収集車から排出されるゴミをゴミピットに搬送するベルトコンベアとを備え、前記ベルトコンベアを、前記プラットホームよりも低い位置で、かつ、前記プラットホームから前記ゴミピットにわたって設けたことを特徴とする。
【００１３】
この発明では、ゴミ収集車を所定位置に配置および支持するためにゴミ処理施設に設けられたゴミピット近傍にプラットホームが設けられる。プラットホームとゴミピットの間には、ゴミ収集車から排出されるゴミを搬送するためのベルトコンベアが設置される。ベルトコンベアはプラットホームからゴミピットにわたって設けられ、ベルトコンベア上を搬送されるゴミはそのままゴミピットに投入されるようになっている。また、ベルトコンベアの搬送面は、プラットホームよりも若干低い位置に設置される。
【００１４】
ゴミ収集車からのゴミはゴミピットに投入される前に、ベルトコンベア上に排出されるが、このとき、ゴミ収集車からのゴミの排出とともに、ベルトコンベアを駆動させる。これにより、ゴミ収集車をいちいち移動させることなしに、ゴミをベルトコンベア上に万遍なく敷き詰めることができる。さらにベルトコンベア上にゴミを敷き詰めた後、ベルトコンベアを停止させれば、ベルトコンベア上でゴミのチェックおよび仕分け作業を行うことができる。ゴミのチェックおよび仕分け作業が完了したら、再びベルトコンベアを駆動すれば、ゴミはそのままゴミピットに投入される。
【００１５】
このように、本発明によれば、ゴミの敷き詰め作業、ゴミのチェック仕分け作業、ゴミの投入作業が効率よく、しかも容易に行えるようになる。
【００１６】
また、本発明に係るゴミ搬入方法は、ゴミ収集車を支持するゴミ処理設備内のプラットホームと、前記ゴミ収集車から排出されるゴミをゴミピットに搬送するベルトコンベアとを備えたゴミ搬入装置を用いたゴミ搬入方法において、前記ゴミ収集車を、前記ゴミ収集車のゴミ排出口が前記ベルトコンベアに向くように前記プラットホーム上に停止させるステップと、前記ベルトコンベアを運転させつつ、前記ゴミ収集車内のゴミを前記ベルトコンベア上に連続的に排出するステップと、前記ベルトコンベア上のゴミ内容物のチェック及び仕分け作業のために、前記ベルトコンベア上のゴミが前記ゴミピットに落ちる前に、一旦ベルトコンベアを停止するステップと、ゴミ内容物のチェック及び仕分け作業の完了後、前記ベルトコンベアの運転を再開し、前記ベルトコンベア．Ｅのゴミを前記ゴミピットに投入するステップとからなる。
【００１７】
この発明は、プラットホームとゴミピットとの間にゴミ搬送用のベルトコンベアを設けたゴミ搬入装置を用いたゴミ搬入方法に関するものである。先ず、ゴミ収集車を、ゴミ収集車のゴミ排出口（ハッチ）がベルトコンベアに向くようにプラットホームの所定位置に停止させる。ハッチが後方に配置された一般的なゴミ収集車の場合、ゴミ収集車は、プラットホーム上をベルトコンベアに向かって後進する。
【００１８】
次に、ゴミ収集車内のゴミをベルトコンベア上に排出するが、このとき、ベルトコンベアを運転させつつ、ゴミ収集車のゴミ収容タンクのダンプ角度を調整して、排出ゴミをベルトコンベア上に万遍なく敷き詰める。
【００１９】
排出ゴミをベルトコンベア上に万遍なく敷き詰めた後、ベルトコンベアを一且停止させて、ベルトコンベア上でゴミのチェックおよび仕分け作業を行う。次に、ゴミのチェックおよび仕分け作業が完了したら、再び、ベルトコンベアを駆動して、ベルトコンベア上のゴミをゴミピットに投入する。
【００２０】
以上の方法により、ゴミの敷き詰め作業、ゴミのチェック仕分け作業、ゴミの投入作業が効率よく、しかも容易に行えるようになる。
【発明の効果】
【００２１】
本発明に係るゴミ搬入装置によれば、ゴミ処理設備のゴミ搬入装置において、ゴミ収集車を支持するプラットホームと、前記ゴミ収集車から排出されるゴミをゴミピットに搬送するベルトコンベアとを備え、前記ベルトコンベアを、前記プラットホームよりも低い位置で、かつ、前記プラットホームから前記ゴミピットにわたって設けたので、ゴミを効率よく、しかも確実にゴミピットに投入することができる。また、ベルトコンベア上でゴミのチェックおよび仕分け作業が行えるので、作業環境も向上し、さらに、ゴミの仕分け作業が容易となる。さらにまた、ゴミ収集車からのゴミをベルトコンベアによって順次ゴミピット方向に送り出すことができるので、従来のようにゴミを蓄積するための大型のダンピングボックスが不要となり、装置の小型化が可能となる。
【００２２】
また、本発明に係るゴミ搬入方法は、ゴミ収集車を支持するゴミ処理設備内のプラットホームと、前記ゴミ収集車から排出されるゴミをゴミピットに搬送するベルトコンベアとを備えたゴミ搬入装置を用いたゴミ搬入方法において、前記ゴミ収集車を前記ゴミ収集車のゴミ排出口が前記ベルトコンベアに向くように前記プラットホーム上に停止させるステップと、前記ベルトコンベアを運転させつつ、前記ゴミ収集車内のゴミを前記ベルトコンベア上に連続的に排出するステップと、前記ベルトコンベア上のゴミ内容物のチェック及び仕分け作業のために、前記ベルトコンベア上のゴミが前記ゴミピットに落ちる前に、一旦ベルトコンベアを停止するステップと、ゴミ内容物のチェック及び仕分け作業の完了後、前記ベルトコンベアの運転を再開し、前記ベルトコンベア上のゴミを前記ゴミピットに投入するステップとからなるので、ゴミを効率よく、しかも確実にゴミピットに投入することができる。また、ベルトコンベア上でゴミのチェックおよび仕分け作業が行えるので、作業環境も向上し、さらに、ゴミの仕分け作業が容易となる。さらにまた、ゴミ収集車を停止させたたまま、ベルトコンベアのみを駆動させることによって、ゴミを連続的にベルトコンベア上に排出することができるので、従来のダンピングボックスを用いた場合のように、ゴミ収集車を除々に移動させながら複数同にわたってゴミを排出する必要がなくなり、ゴミの搬入効率を高めることができる。
【発明を実施するための最良の形態】
【００２３】
以下、本発明の実施形態を添付図面に基づいて説明する。図１の（Ａ）、（Ｂ）、（Ｃ）は本発明に係るゴミ搬入装置を示す。
【００２４】
このゴミ搬入装置は、図１の（Ａ）に示すように、ゴミ収集車１０を支持するプラットホーム２と、ゴミ収集車１０から排出されるゴミをゴミピット１に搬送するベルトコンベア３と、ベルトコンベア３を駆動する電動モータ３ｃ等から構成される。
【００２５】
プラットホーム２はゴミ収集車１０が進入してくる部分である。したがって、プラットホーム２のベルトコンベア３側端部に車止め２ｂを設け（図１の（Ｃ）参照）、これにより、ゴミ収集申１０がベルトコンベア３に向かって後進したときに、ゴミ収集車１０が車止め２ｂによって所定位置に停止できるようになっている。すなわち、この車止め２ｂがゴミ収集車１０の後方位置決めを補助するとともに、ゴミ収集車１０がプラットホーム２から落下するのを防止する。
【００２６】
なお、本実施の形態では、ゴミ収集車１０の左右の車輪に対応する２つの車止め２ｂがそれぞれ設けられているが、これに限らず、左右の車輪を止められるゴミ収集車１０のトレッド幅以上の長い１つの車止めを用いてもよい。
【００２７】
プラットホーム２とゴミピット１との間には、ベルトコンベア３を設置するための底床部２ａが設けられている。底床部２ａはプラットホーム２よりも低く掘り下げられた長方の凹部であり、この底床部２ａにベルトコンベア３を設置することによって、プラットホーム２に対するベルトコンベア３の上面（搬送面）高さを調整できるようになっている。
【００２８】
底床部２ａには、ベルトコンベア３を支持する支柱が複数本設けられており、この支柱上にベルトコンベア３が設置される。
【００２９】
ところで、本実施の形態では、ゴミが搬送されるベルトコンベア３の搬送面がプラットホーム２の上面と略同一高さに設定されているが、これに限るのものではなく、支柱の高さを調整することによって、ベルトコンベア３の搬送面がプラットホーム２の上面よりも若干高く設定されるようにしてもいいし、低く設定されるようにてもいい。
【００３０】
低床部２ａの長手方向（奥行き）はプラットホーム２の下部まで掘り下げられている。したがって、プラットホーム２の一部はその下が低床部２ａによる下部空間となっている。そして、ベルトコンベア３の一部、すなわち、ベルトコンベア３の端部３ａから所定部分まではこの下部空間内に設置される。
【００３１】
これにより、プラットホーム２の端部からベルトコンベア３の搬送面にかけて段差や隙間を生じさせることなく連続的な面（プラットホーム２の上面からベルトコンベア３の搬送面にかけて連続的な面）を構成し、ゴミを確実かつスムーズに搬送することができる。ベルトコンベア３は、両端３ａ、３ｂのベルト車の間に幅広の無端環状のベルトを循環させる連続式運搬機械である。
【００３２】
ベルト幅は、ゴミを確実に搬送するため、及び周囲へのゴミの散乱を防止するため、ゴミ収容タンク１１のハッチ１２の幅よりも大きく設定される。ただし、ゴミの種類によっては、あるいは、ゴミの散乱度合いを許容できる範囲内で、ベルト幅をハッチ１２よりも狭く設定してもよい。
【００３３】
なお、ベルトはゴム層で保護された帆布、あるいは鋼線を用いるのが一般的であるが、これに限定されるものではない。
【００３４】
さらに、ベルトコンベア３はベルトコンベア３の下部に設けられた電動モータ３ｃによって駆動される。ベルトコンベア３の両端部３ａ、３ｂは、搬送面からベルト車回りにかけて斜め下方向に若干傾斜している。これにより、ベルトコンベア３のプラットホーム２側の端部３ａはプラットホーム２の下部空間に適切に収まるとともに、ベルトコンベア３の搬送面はプラットホーム２の上面と面一に構成することができる。
【００３５】
一方、ゴミピット１側の端部３ｂはゴミピット１の入口であるバンカーゲート５の開口部６に近接する位置まで延びている。そして、この端部３ｂも下方に傾斜しているので、ゴミピット１へのゴミの投入をよりスムーズに行うことができる。ゴミピット１には、安全柵であるバンカーゲート５が設けられている。バンカーゲート５は、図１の（Ｂ）に示すように、両端の支柱を支点として中央部から開口する開口部６を有する。
【００３６】
そして、ゴミをゴミピット１に投入する際に、この開口部６が開口し、それ以外の場合は、開口部６を閉鎖している。これにより、誤って不正ゴミがゴミピット１に投入するのを、あるいは、作業員がゴミピット１に落下するのを防止する。
【００３７】
なお、開口部６は作業員が任意の時に、手動あるいは所定の開口駆動装置を用いて開口できるようにしてもよいが、例えば、ベルトコンベア３の駆動（回転）に連動して開口するようにしてもよい。この場合、ベルトコンベア３が停止しているときは、開口部６が閉じられており、ベルトコンベア３が回転し始めると、これに伴って開口部６が開口するようにしてもよい。こうすることで、ゴミの投入作業が効率良く行われるようになる。
【００３８】
また、バンカーゲート５は金網で構成されるものの他、鉄製の平板でもよい。さらに、本実施の形態では、バンカーゲート５の開口部６は、いわゆる観音開きとなっているが、これに限らず、上下方向に開口するものでもよいし、両開きではなく、片開きであってもよい。
【００３９】
また、開口部６はバンカーゲート５の全面が開口するようになっているが、バンカーゲート５の一部が開口するようにしてもよい。
【００４０】
次に、本発明に係るゴミ搬入装置におけるゴミ搬送方法について説明する。本発明に係るゴミ搬送方法は、プラットホーム２上を（ハッチ１２がベルトコンベア３に向くように）後進してきたゴミ収集車１０がプラットホーム２に設けられた車止め２ｂによって所定の停止位置で停止するステップと、ベルトコンベア３を運転させつつ、ゴミ収集車１０内のゴミをベルトコンベア３上に連続的に排出するステップと、ベルトコンベア３上のゴミ内容物のチェック及び仕分けを行うために、ベルトコンベア３上のゴミをゴミピット１に投下する前に、一旦ベルトコンベア３を停止させるステップと、ゴミ内容物のチェックおよび仕分け作業の完了後、ベルトコンベア３の運転を再開し、ベルトコンベア３上のゴミをゴミピット１に投下するステップとからなる。
【００４１】
ゴミ収集車１０がプラットホーム２上の所定の位置で停止するステップは、先ず、ゴミの回収を完了したゴミ収集車１０がプラットホーム２内に後ろ向きで進入してくる。そして、ゴミ収集車１０が所定位置まで後進すると、ゴミ収集車１０の後輪がプラットホーム２上に設けられた車止め２ｂに当接する。これにより、運転手はゴミ収集車１０の停車位置を確認し、その位置にゴミ収集車１０を停止させることができる。
【００４２】
車止め２ｂは、プラットホーム２のベルトコンベア３側端部に設置されているので、この位置でゴミ収容タンク１１をダンプさせれば、ゴミ収容タンク１１内のゴミはベルトコンベア３の搬送面上にちょうど投下されるようになっている。
【００４３】
次に、ゴミ収集車１０内のゴミをベルトコンベア３上に連続的に排出するステップは、先ず、ゴミ収集車１０が車止め２ｂによって前記所定位置に停止したら、ベルトコンベア３を運転する。そして、ゴミ収容タンク１１のダンプ及びハッチ１２の開口を行って、ゴミをベルトコンベア３上に連続的に排出する。ここで、ゴミ収容タンク１１のダンプ角度を調節して、少量のゴミを連続的にベルトコンベア３上に排出するようにして、ゴミ内容物のチェック及び仕分け作業がやり易いようにする。
【００４４】
ゴミ内容物のチェック及び仕分け作業を行うステップは、ベルトコンベア３上にゴミがある程度蓄積されたら、一旦ベルトコンベア３を停止させる。そして、ベルトコンベア３上のゴミ内容物のチェックおよび仕分け作業を行う。このとき、ベルトコンベア３上のゴミの中に例えば不法投棄等された不正ゴミ等があれば取り除く。
【００４５】
なお、ゴミ内容物の仕分け作業はベルトコンベア３を一旦停止して行うが、必ずしもこれに限る必要はなく、可能であれば、ベルトコンベア３を極めてゆっくり運転させつつ、ゴミの仕分け作業を行ってもよい（この場合、順次送られてくるゴミを作業者がチェックするようになる。）。ベルトコンベア３を停止させない分、作業効率が向上する。
【００４６】
最後に、ベルトコンベア３上のゴミをゴミピット１に投入するステップは、前記ゴミの仕分け作業が完了すると、ベルトコンベア３の運転を再開するとともに、ゴミピット１のバンカーゲート５を開口して、ベルトコンベア３上のゴミをゴミピット１に投下する。
【００４７】
本発明では、以上のステップを繰り返すことによって、ゴミの搬入作業を行うものである。本発明に係るゴミ搬入装置およびゴミ搬入方法によれば、ゴミ内容物のチェックおよび仕分け作業がベルトコンベア３上で行えるので、作業環境も向上し、しかも、容易にチェックおよび仕分け作業が行えるようになる。また、ベルトコンベア３上にゴミを薄く均等に積載するので、不法投棄されたゴミなどを容易に発見でき、確実に取り除くことができる。
【００４８】
また、以上のように、ベルトコンベア３上でゴミのチェックおよび仕分け作業を行い、かつ、ゴミ収集車１０からのゴミをベルトコンベア３によって順次ゴミピット１方向に送り出すことができるので、従来のようにゴミを蓄積するための大型のダンピングボックス３が不要となり、装置の小型化が可能となる。さらにまた、ゴミ収集単１０を停止させたまま、ゴミを連続的にベルトコンベア３上に排出することができるので、従来のダンピングボックス１３を用いた場合のように、ゴミ収集車１０を除々に移動させながら複数回にわたってゴミを排出する必要がなくなり、ゴミの搬入効率を高めることができる。
【産業上の利用可能性】
【００４９】
本発明は、ゴミピットにゴミを投入する前に、ゴミ内容物のチェックおよび仕分け作業を行う必要のあるゴミ処理設備のゴミ搬入装置およびゴミ搬入方法に適用できる。
【図面の簡単な説明】
【００５０】
【図１】本発明に係るゴミ搬入装置を示し、（Ａ）は側面図、（Ｂ）は平面図、（Ｃ）は断面図である。
【図２】従来技術のゴミ搬入装置を示す図である。
【図３】従来技術のゴミ搬入装置を示す図である。
【符号の説明】
【００５１】
１  ゴミピット
２  プラットホーム
２ａ  底床部
２ｂ  車止め
３  ベルトコンベア
３ａ  ベルトコンベアのプラットホーム側端部
３ｂ  ベルトコンベアのゴミピット側端部
３ｃ  電動モータ
５  バンカーゲート
６  開口部
１０  ゴミ収集車
１１  ゴミ収容タンク
１２  ハッチ
【図１】
2005154039.tif 000003
【図２】
2005154039.tif 000004
【図３】
2005154039.tif 000005